(57)【要約】【解決手段】丸編み機、特にシングルジャージー機用のシンカカムである。シンカの引き出しと戻りの動きを制御するために、カム担持体（１）に少なくとも１つのカム部材（３）が配置されている。カム担持体（１）に対してカム部材（３）は、シンカの移動方向に調整可能であり、カム部材（３）はカム担持体（１）に直接配置され、調整部材（４）が設けられ、調整部材（４）により、カム部材（３）がカム担持部（１）に対して調整可能である。
2020517839.tif 000002
【特許請求の範囲】
【請求項１】
シンカ（１０５）の引き出しと戻りの動きを制御するためのシンカカム担持体（１）に配置された少なくとも１つのカム部材（３）を備え、カム部材（３）は、シンカ（１０５）の移動方向にカム担持体（１）に対して調整可能である、丸編機、特にシングルジャージー機用のシンカカムにおいて、
シンカカム部材（３）はシンカカム担持体（１）に直接配置され、シンカカム部材（３）又はカム担持体（１）に統合された調整部材（４）が設けられ、調整部材（４）によって、シンカカム担持体（１）に対してカム部材（３）が調整可能であることを特徴とする、シンカカム。
【請求項２】
カム部材（３）は、カム担持体（１）上でばね予張力を受けていて、カム担持体（１）に対して調整部材（４）によってカム支持面とシンカカム部材の下側の摩擦を克服することで、カム部材が調整可能であることを特徴とする、請求項１に記載のシンカカム。
【請求項３】
カム部材（３）は、皿ばね（７）を備えた少なくとも１本のネジ（６）によってカム担持体（１）に固定されていて、スロット又はカム部材（３）を通すネジの軸よりも大きな直径の穴（８）を通るネジ（６）がガイドされることを特徴とする、請求項２に記載のシンカカム。
【請求項４】
ネジ（６）が、カム部材（３）の調整経路の方向に傾斜してカム担持体（１）にねじ込まれていることを特徴とする、請求項３に記載のシンカカム。
【請求項５】
調整部材（４）はカム部材（３）に組み込まれていることを特徴とする、
先行する請求項のいずれか一項に記載のシンカカム。
【請求項６】
複数のカム部材（３）のための共通の調整部材（４）が設けられている、請求項１から４のいずれか一項に記載のシンカカム。
【請求項７】
調整部材（４）は、調整部材（４）又はカム担持体１の螺旋溝（４．５）に係合するピン（４．４）に接続された回転可能な調整ヘッド（４．１）を備えていることを特徴とする、先行する請求項のいずれか一項に記載のシンカカム。
【請求項８】
調整部材（４）は、カム部材（３）の端面に配置され、カム部材は、歯車、歯付きラック又はウォームギアによってシンカカム担持体に対して変位可能であることを特徴とする、請求項１から６のいずれか一項に記載のシンカカム。
【請求項９】
シンカ（１０５）の長手運動方向に垂直なカム部材（３）の移動を防ぐガイド（９）が提供されていることを特徴とする、先行する請求項のいずれか一項に記載のシンカカム。
【請求項１０】
ガイド（９）が、縦溝（９．２）に係合する円筒状ピン（９．１）又はフェザーキーによって形成されていることを特徴とする、請求項９に記載のシンカカム。
【請求項１１】
カム担持体（１）は環状又は環状セグメントの形状であり、少なくとも１つのカム部材（３）はカム担持体（１）の半径方向に調整可能であることを特徴とする、先行する請求項のいずれか一項に記載のシンカカム部。
【請求項１２】
請求項１から１１に記載のシンカカム付き丸編機。
【請求項１３】
少なくとも２８針／インチのゲージを持っていることを特徴とする、請求項１２に記載の丸編機。
【発明の詳細な説明】
【技術分野】
【０００１】
本発明は、シンカの展開及び後退運動を制御するための、カム担持体上に配置された少なくとも１つのカム部を有する、丸編機、特にシングルジャージー機用のシンカカムに関する。カム部材は、カム担持体に関してシンカの移動方向に調整可能である。
【背景技術】
【０００２】
シンカカム部がカム担持体に固定的に組み立てられたシンカカムが知られていて、広く使用されている。ただし、これらのカムはＥ４４を超えるファインゲージの機械には適していない。カム部品は調整できないため、ファインゲージの場合に製造公差を均等にするためにはカム部品の調整が必要である。
【０００３】
非常に高いニードルゲージを備えた機械の場合、製造公差を均等にするために、シンカカム部の位置を微調整するには、シンカカム担持体に固定され、シンカカムの調整部材を備えたシンカカムセグメントが、したがって、現在まで一般的に使用されている。本明細書のシンカカム部品は、シンカカムセグメントの下側で長手方向に変位可能に配置されている。
【０００４】
ただし、シンカカムセグメントは、シンカカム担持体とシンカカム部分を、比較的かなり超えて突出しているため、機械のシンカとシリンダー針を見られる範囲は、妨げられる。さらに、シリンダー針にアクセスするのは困難である。公知のシンカカムのさらなる欠点は、糸の毛羽が編地から不適切な程度にしか吹き飛ばされないことである。毛羽は、シンカとシンカカムセグメントの間のくぼみに蓄積する傾向がある。
【０００５】
特許文献１は、カム部材の調整装置を記載し、調整装置はカム担持体に配置され、カム部材の下側に係合する別個の調整要素によってカム部の長手方向の調整を可能にする。しかしながら、この調整装置は、調整要素のためのクリアランスを持つように特別に設計されたカム担持体を必要とする。
【先行技術文献】
【特許文献】
【０００６】
【特許文献１】欧州特許出願公開第１５５９８２０号明細書
【発明の概要】
【発明が解決しようとする課題】
【０００７】
したがって、本発明の目的は、調整可能なシンカカム部材を有し、上記の欠点を回避するシンカカムを提供することである。
【課題を解決するための手段】
【０００８】
この目的は、シンカの展開及び後退運動を制御するために、カム担持体上に配置された少なくとも１つのカム部を有する丸編機、特にシングルジャージー機用のシンカカムによって達成される。カム部材がカム担持体に関して、シンカの移動方向に調整可能であり、前記シンカカムは、カム部材がカム担持体上に直接配置され、調整部材がカム部材又はカム担持体に統合された調整部材が設けられていて、これにより、カム部材がカム担持体に対して調整可能であることを特徴とする。
【０００９】
本発明によるシンカカムは、シンカカムセグメントを不要にする。代わりに、カム部材は、カム担持体上で直接変位可能に配置されている。したがって、カムの構造高さは、カムセグメントを有するシンカカムの場合よりも著しく低い。シンカと針のある編み場所の視界は、妨げられない。さらに、糸の毛羽は編み場所から容易に清掃可能であり、糸の毛羽はさらに、既知のカムの場合よりも少ない程度でカム部分に堆積する。ここで必要なカム部品の調整可能性は、最大限に維持されている。さらに、本発明によるシンカカムは、特定のパターンを編成する必要がある場合にカム部材の調整を可能にする。さらに、カム部材は、異なるパターンに適応するために、つまり交換可能な部分を持つために、２つの部分で構成してもよい。パターン切り替えの場合、全てのカム部品ではなく、交換可能な部分のみの交換が求められる。そのため、資材の面で大幅に節約可能である。
【００１０】
カムの１つの好ましい設計の実施形態では、カム部材は、ばねによって予張力がかかるようにカム担持体に当接し、調整部材は、カム担持体表面との摩擦を克服することによりカム担持体に対して調整可能である。本明細書では、調整部材によるカム部材の調整性を損なうことなく、バネによる予張力のために、カム担持体上のカム部材の不注意な変位が回避される。
【００１１】
この目的のために、カム部材は、好ましくは、皿ばねを有する少なくとも１つのネジによってカム担持体に固定可能であり、ネジは、細長い穴、又はネジ軸部の直径よりも大きい穴を介してカム部材に案内される。細長い穴は、調整部材によるカム部材の変位運動を可能にする。ネジは、カム部材の調整方向に傾斜するようにカム担持体にねじ込んでもよい。
【００１２】
さらに、調整部材がカム部材に組み込まれていると便利である。調整は、カム担持体に統合してもよい。ただし、カム担持体の構成及びゲージに関係なく、全ての機械でカム部材を使用可能であるという利点がある。
【００１３】
また、複数のシンカカム部品の共通調整部材も設けられてもよい。
【００１４】
調整部材は、調整部材又はカム担持体の螺旋溝に係合するピンに接続された回転可能な調整ヘッドを有してもよい。したがって、調整部材は、既知のロックで既に使用されているステッチ長さ調整部材に対応する。ソケットレンチで設定ヘッドを回転可能であって、回転によりシンカカム部材が移動可能である。この場合、カム部材の位置の調整を容易にするために、スケールを備えたディスク又はリングをそれ自体既知の方法で調整ヘッドに配置可能してもよい。
【００１５】
しかしながら、調整は、カム部材の端面に配置してもよく、ギア、ラック又はウォームギアによりシンカカム部材は調整可能である。
【００１６】
カム担持体上のカム部材の横方向の変位を回避するために、シンカの移動の長手方向に垂直なシンカカム部材の移動を防止するガイドを設けてもよい。縦溝に係合する円筒ピン又はキーを、例えば、ガイドとみなしてもよい。そこでは、シリンダーピン又はフェザーキーは好ましくは、シンカカム部材に配置される。フェザーキーを使用すると、溝に直線状だけでなく平らに配置できるという利点がある。しかしながら、シンカカム部材を受け入れて案内するための隙間をシンカカム担持体に設けてもよい。
【００１７】
カム担持体は、環状又は環状セグメント形状であってもよく、カム担持体に対する半径方向の少なくとも１つのカム部材は調整可能である。シンカカムのこのような設計は、シンカが針に垂直に移動する丸編み機では一般的である。しかしながら、本発明は、いわば、シンカカムセグメントをなしに、そしてカム部品の調整機能を維持しながらの、カム担持体上のカム部材の直接配置は、他のシンカカムにも適用可能である。また、機械の針に対して、シンカを垂直に配置する必要はない。本発明によるシンカは、シンカが針に対して異なる角度で、又は平行に配置される機械でも、使用可能である。
【００１８】
本発明は、本発明によるシンカを備えた丸編機にも関する。機械は、好ましくはシングルジャージー機械であることが可能で、及び／又は少なくとも２８針／インチのゲージを持つことが可能である。特に有利なのは、本発明によるシンカカムを備えた少なくとも４４針／インチの非常に高いゲージを有する機械である。
【００１９】
以下では、図面を参照し、従来技術によるカムと比較して、本発明によるシンカカムの好ましい実施形態をより詳細に説明する。
【００２０】
図面の内容は、以下に示す。
【図面の簡単な説明】
【００２１】
【図１】図１は、従来技術のシンカカムを示す。
【図２】図２は、本発明によるシンカカムの断片の平面図を示す。
【図３】図３は、図２のシンカカムの断面図を示す。
【図４】図４は、二部分シンカカム部の側面図を示す。
【発明を実施するための形態】
【００２２】
図１に示される従来技術のシンカカム１００は、複数のシンカカムセグメント１０２が上部に配置された環状シンカカム担持体１０１を有し、そのうちの３つが例として図２に示されている。シンカカムセグメント１０２は、シンカカム担持体１０１にしっかりとボルト締めされている。シンカカム部材１０３の下面には、シンカ１０５用の制御カムが配置されていて、シンカカム部材１０３は、シンカカムセグメント１０２上をスライド可能に、シンカカム担持体１０１に対して半径方向に微調整するように配置されている。シンカカム部材１０３を調整するために、調整部材１０４がシンカカムセグメント１０２に設けられていて、シンカカムセグメント１０２の上側でアクセス可能である。シンカカムセグメントの構成高さは比較的大きいため、シンカ１０５とシリンダーニードルの視界が厳しく限られている。さらに、シンカ１０５とシンカカムセグメント１０２の間に繊維の毛羽が蓄積することがある。
【００２３】
図２に、本発明によるシンカカム１０の一部分が示されている。このシンカカム１０では、シンカカムセグメントを無くし、代わりに、シンカカム部材３が環状シンカカム担持体１に直接取り付けられている。シンカカム部材３は、皿バネ７を備えたネジ６によりシンカカム担持体１の上部にそれぞれ押し付けられている。それにより、ネジ６は、図３から明らかなように、スロット又はシンカカム部材３を通るネジ軸よりも大きな直径の穴８を通過し、シンカカム部材３は、シンカカム部材３とシンカカム担持体１との間の摩擦力をシンカカム担持体１の半径方向に克服することにより変位可能になっている。この径方向の調整を可能にするために、シンカカム部材３に調整部材４が設けられている。変位の運動中、シンカカム部材は、ガイド９により横方向にガイドされる。
【００２４】
図３に示すように、調整部材４は、ソケットレンチ（図示せず）を受け入れるための開口部４．２を備えた調整ヘッド４．１を有する。シンカカム部材３の調整をより良く確認するために、環状部４．３がスケールを持って、調整ヘッド４．１の外周に設けられている。調整ヘッド４．１は、調整部材４の螺旋溝４．５に案内される円筒ピン４．４と相互作用する。横ガイド９は、シンカカム担持体１の縦溝９．２に案内される円筒ピン９．１によって形成される。
【００２５】
図４は、本発明による、調整部材４を持つ第１の部品３．１′と、交換可能な第２の部品３．２′を備えた二部分カム部材３′を示す。図は、分離された状態の２つの部分３．１′及び３．２′を示す。ネジによって、部品３．１′、３．２′が互いに、またカム担持体と、接続される（ここには図示なし）。調整部材４′により、例えば製造公差を補償するためのカム部材３′の微調整が行われる。しかし、編み機を別のパターンに切り替えるためにカム部材３′のより大きな調整が必要な場合は、カム部材３′の交換可能部３．２′を別のものと交換してもよい。ただし、調整部材４を持つ部品３．１′はカム担持体に残る。
【符号の説明】
【００２６】
１      カム担持体
３      カム部材
３′      二部分カム部材
３．１′  第１の部品
３．２′  第２の部品
４      調整部材
４′    調整部材
４．１  調整ヘッド
４．２  開口部
４．３  環状部
４．４  円筒状ピン
４．５  らせん溝
６      ネジ
７      皿ばね
８      ボアホール
９      ガイド
９．１  円筒状ピン
９．２  縦溝
１０    シンカカム
１００  シンカカム
１０１  環状カム担持体
１０２  シンカカムセグメント
１０３  シンカカム部材
１０４  調整部材
１０５  シンカ
【図１】
2020517839.tif 000003
【図２】
2020517839.tif 000004
【図３】
2020517839.tif 000005
【図４】
2020517839.tif 000006
【国際調査報告】
2020517839.tif 000007
2020517839.tif 000008
2020517839.tif 000009
2020517839.tif 000010
2020517839.tif 000011
2020517839.tif 000012